(57)【要約】【課題】機器本体から電磁波を照射してリモコンを良好に充電することが可能であり、かつ、人体が強い電磁波を受けることが防止されたリモコンユニットを提供する。【解決手段】リモコン３０のケース３１内には、太陽電池３３で発電された電力を蓄電するためのキャパシタ３８と、制御回路３６と、スイッチ素子３７と、発信素子３４ａとが設置されている。ケース３１の前面には受信手段３２が設けられている。便座ボックス１２には、人体検知手段２２ａと、電磁波照射手段２０ａが設けられている。人体非検知時には、便座ボックス１２の電磁波照射手段２０ａがリモコン３０に向けて電磁波を照射する。この電磁波をリモコン３０の太陽電池３３が受信して発電し、この電力をキャパシタ３８が蓄電する。人体検知時には、電磁波照射手段２０ａが電磁波の照射を停止する。【選択図】図４
2011188190.tif 000002
【特許請求の範囲】
【請求項１】
リモコンと、該リモコンによって操作可能な機器本体と、人体検知手段とを有するリモコンユニットであって、
該機器本体は、該リモコンに向けて電磁波エネルギーを照射する電磁波照射手段を備えており、
該リモコンは、電磁波エネルギーを受信して蓄電する蓄電手段を備えているリモコンユニットにおいて、
該機器本体は、該人体検知手段からの人体検知信号を受信したときに、該電磁波照射手段による電磁波エネルギーの照射を停止させるか又は電磁波エネルギーを減少させる制御手段を有することを特徴とするリモコンユニット。
【請求項２】
請求項１において、該リモコンは、該機器本体を操作可能なウェークアップモードと、該ウェークアップモードよりもエネルギー消費量の小さいスリープモードとに切換可能とされており、
該制御手段は、該人体検知信号を受信したときに、該リモコンをウェークアップモードにするための変調信号を該電磁波照射手段に照射させるよう構成されていることを特徴とするリモコンユニット。
【請求項３】
請求項１又は２において、該人体検知手段が該機器本体内に配置されていることを特徴とするリモコンユニット。
【請求項４】
請求項１ないし３のいずれか１項において、該リモコンは、該蓄電手段の充電が完了したときに充電完了信号を送信する送信手段を有しており、
該機器本体は、該充電完了信号を受信して該制御手段に出力する受信手段を有しており、
該制御手段は、該充電完了信号の入力時に、該電磁波照射手段による電磁波エネルギーの照射を停止させるか又は電磁波エネルギーを減少させるよう構成されていることを特徴とするリモコンユニット。
【請求項５】
請求項１ないし４のいずれか１項において、該リモコンは、該蓄電手段の充電が不足したときに充電不足信号を送信する送信手段を有しており、
該機器本体は、該充電不足信号を受信して該制御手段に出力する受信手段を有しており、
該制御手段は、該充電不足信号の入力時に、該電磁波照射手段による電磁波エネルギーの照射を開始させるか又は電磁波エネルギーを増加させるよう構成されていることを特徴とするリモコンユニット。
【発明の詳細な説明】
【技術分野】
【０００１】
本発明は、リモコンと、該リモコンによって操作される機器本体とを有するリモコンユニットに係り、特に機器本体からリモコンに向けて電磁波エネルギーを供給可能なリモコンユニットに関する。
【背景技術】
【０００２】
機器本体からリモコンに向けて電磁波エネルギーを供給可能なリモコンユニットは公知である。
【０００３】
例えば、特開２００４−１２０６４１号公報（特許文献１）には、人体がトイレの衛生洗浄便座に着座している間だけ該衛生洗浄便座がマイクロ波をリモコンに向けて送信することにより、リモコンの電源を充電することが記載されている（同号の図３及び第００１５段落）。
【先行技術文献】
【特許文献】
【０００４】
【特許文献１】特開２００４−１２０６４１号公報
【発明の概要】
【発明が解決しようとする課題】
【０００５】
特許文献１のように、人体検知時に衛生洗浄便座から電磁波を送信してリモコンを充電する場合、この電磁波を人体が受けることになるため、強い電磁波を送信することができず、十分に充電することができない。
【０００６】
本発明は、上記課題を解決し、機器本体から電磁波を照射してリモコンを良好に充電することが可能であり、かつ、人体が強い電磁波を受けることが防止されたリモコンユニットを提供することを目的とする。
【課題を解決するための手段】
【０００７】
本発明（請求項１）のリモコンユニットは、リモコンと、該リモコンによって操作可能な機器本体と、人体検知手段とを有するリモコンユニットであって、該機器本体は、該リモコンに向けて電磁波エネルギーを照射する電磁波照射手段を備えており、該リモコンは、電磁波エネルギーを受信して蓄電する蓄電手段を備えているリモコンユニットにおいて、該機器本体は、該人体検知手段からの人体検知信号を受信したときに、該電磁波照射手段による電磁波エネルギーの照射を停止させるか又は電磁波エネルギーを減少させる制御手段を有することを特徴とするものである。
【０００８】
請求項２のリモコンユニットは、請求項１において、該リモコンは、該機器本体を操作可能なウェークアップモードと、該ウェークアップモードよりもエネルギー消費量の小さいスリープモードとに切換可能とされており、該制御手段は、該人体検知信号の受信時に、該リモコンをウェークアップモードにするための変調信号を該電磁波照射手段に照射させるよう構成されていることを特徴とするものである。
【０００９】
請求項３のリモコンユニットは、請求項１又は２において、該人体検知手段が該機器本体内に配置されていることを特徴とするものである。
【００１０】
請求項４のリモコンユニットは、請求項１ないし３のいずれか１項において、該リモコンは、該蓄電手段の充電が完了したときに充電完了信号を送信する送信手段を有しており、該機器本体は、該充電完了信号を受信して該制御手段に出力する受信手段を有しており、該制御手段は、該充電完了信号の入力時に、該電磁波照射手段による電磁波エネルギーの照射を停止させるか又は電磁波エネルギーを減少させるよう構成されていることを特徴とするものである。
【００１１】
請求項５のリモコンユニットは、請求項１ないし４のいずれか１項において、該リモコンは、該蓄電手段の充電が不足したときに充電不足信号を送信する送信手段を有しており、該機器本体は、該充電不足信号を受信して該制御手段に出力する受信手段を有しており、該制御手段は、該充電不足信号の入力時に、該電磁波照射手段による電磁波エネルギーの照射を開始させるか又は電磁波エネルギーを増加させるよう構成されていることを特徴とするものである。
【発明の効果】
【００１２】
本発明（請求項１）のリモコンユニットによると、機器本体からリモコンに向けて強い電磁波エネルギーを照射することにより、リモコンの蓄電手段に良好に充電をすることができる。また、人体が検知されているときには、照射する電磁波エネルギーが減少するか又は電磁波エネルギーの照射が停止するため、人体が強い電磁波を受けることが防止される。
【００１３】
請求項２のリモコンユニットによると、人体非検知時にスリープモードになり、エネルギー消費量の低減が図られる。また、人体検知時にリモコンがウェークアップモードになり、リモコン操作を確実に行うことができる。
【００１４】
なお、人体を検知するための人体検知手段は、機器本体内に配置されていることが好ましい（請求項３）。この場合、人体検知手段をリモコン装置に配置する場合と比べてリモコンの消費電力が少なくなり、蓄電手段の小型化が図られる。
【００１５】
請求項４のリモコンユニットによると、リモコンの蓄電手段の充電が完了すると機器本体からの電磁波エネルギーの照射が停止又は減少するため、機器本体のエネルギー消費量の低減が図られると共に、該蓄電手段の過充電が防止される。
【００１６】
請求項５のリモコンユニットによると、リモコンの蓄電手段の充電が不足すると機器本体からの電磁波エネルギーの照射が開始するか又は増加するため、該蓄電手段の充電が不足することが防止される。
【図面の簡単な説明】
【００１７】
【図１】実施の形態に係るリモコンユニットが設置されたトイレルーム内の斜視図である。
【図２】図１のリモコン３０の断面図である。
【図３】（ａ）は図１の洋風便器の平面図、（ｂ）は（ａ）の電磁波照射部２０内の拡大図である。
【図４】図１のリモコンユニットのブロック図である。
【発明を実施するための形態】
【００１８】
以下、図面を参照して実施の形態について説明する。第１図は実施の形態に係るリモコンユニットが設置されたトイレルーム内の斜視図、第２図は第１図のリモコン３０を説明する模式的な断面図、第３図（ａ）は第１図のトイレルーム内の平面図、第３図（ｂ）は第３図（ａ）の電磁波照射部２０内の拡大図、第４図は第１図のリモコンユニットのブロック図である。なお、第２図では、リモコンの各部分の配置及び大小関係を第１図及び第４図とは異ならせているが、これはリモコンの各部分を分かり易く説明する便宜のためであり、第１，２，４図において、同一符号は同一部分を示している。
【００１９】
本実施の形態に係るリモコンユニットは、機器本体としての便座ボックス１２と、リモコン３０とからなっている。
【００２０】
第１図の通り、洋風便器１０の後部上面に便座ボックス１２が設置され、この便座ボックス１２に便座１４及び便蓋１６が起倒自在に枢支されている。この便座ボックス１２の右側面（便器着座者にとっての右側面。以下、同様。）には手動式フラッシュハンドル１８が設けられている。また、この便座ボックス１２の左側の上角縁には、電磁波透過材料よりなる電磁波照射部２０と、赤外線透過材料よりなるセンサ配置部２２とが設けられている。後述する通り、これら電磁波照射部２０内には電磁波照射手段２０ａ及び調節手段２０ｂが配置されており、センサ配置部２２内には人体検知手段２２ａが配置されている。便座ボックス１２内の電気回路は、図示しないコード、プラグを介して商用電源（ＡＣ１００Ｖ）から給電される。この洋風便器１０は、図示しないホース及び止水栓を介して水道水が供給可能とされている。
【００２１】
トイレルームの左側の壁面にはリモコン取付ブラケット（図示略）が取り付けられ、このリモコン取付ブラケットに対しリモコン３０が着脱自在に掛止されている。
【００２２】
第１図及び第２図に示す通り、このリモコン３０の外殻を構成するケース３１の前面下半部に、臀部を洗浄するためのシャワースイッチ３０ａ及びビデスイッチ３０ｂ、温風を吹き出すための乾燥スイッチ３０ｃ、洗浄強さを調節する洗浄強さ調節ダイヤル３０ｄ、洗浄及び乾燥を停止させるストップスイッチ３０ｓが設けられている。さらに、このケース３１の前面下半部には、便座ボックス１２の後述する電磁波照射手段２０ａからの信号を受信する受信手段３２が設けられている。リモコン３０の前面上半部には、太陽電池３３が設けられている。リモコン３０の上面には、洋風便器１０に大量（例えば約６Ｌ）の洗浄水を供給する大用フラッシュスイッチ３０ｅ、同じく少量（例えば５Ｌ）の洗浄水を供給する男子小用フラッシュスイッチ３０ｆが設けられている。リモコン３０の前面上部には、発信部３４が設けられている。
【００２３】
第２図に示す通り、リモコン３０のケース３１内には、太陽電池３３で発電された電力を蓄電するためのキャパシタ３８と、基板３５が配置されている。この基板３５上には、制御回路（制御手段）３６と、スイッチ素子３７と、便座ボックス１２内の後述する人体検知手段２２ａに向けて信号を発信する発信素子３４ａとが設置されている。この制御回路３６は、配線を介して、太陽電池３３、受信手段３２、キャパシタ３８、スイッチ素子３７及び発信素子３４ａと接続されている。これら太陽電池３３とキャパシタ３８とによって、蓄電手段が構成されている。第２図では、シャワースイッチ３０ａの樹脂シート３９の裏側にスイッチ素子３７が設置されているが、他のスイッチ３０ｂ〜ｆ、３０ｓの樹脂シート３９の裏側にも、それぞれスイッチ素子３７が設置されている。送信素子３４ａは、送信部３４と対向する位置に設けられている。
【００２４】
第３図に示す通り、便座ボックス１２の前記センサ配置部２２の内部には、洋風便器１０に近づいてきた人体から発せられる赤外線を受光して人体を検知する人体検知手段２２ａが設けられている。この人体検知手段２２ａは、リモコン３０の発信素子３４ａから送信される各種信号を受信するための受信手段を兼ねている。また、前記電磁波照射部２０の内部には、リモコン３０の太陽電池３３及び受信手段３２に対して電磁波を照射する電磁波照射手段２０ａと、この電磁波照射手段２０ａの照射方向を上下方向（第３図（ｂ）のα方向）に回動させる第１のモータ及び左右方向（第３図（ｂ）のθ方向）に回動させる第２のモータよりなる調節手段２０ｂとが設けられている。この調節手段２０ｂは、便座ボックス１２及び／又はリモコン３０に設けられた操作スイッチ（図示略）を操作することにより、電磁波の照射方向を調節可能とされている。リモコンユニットの設置時等にこの調節手段２０ｂを操作し、電磁波がリモコン３０に良好に照射されるように調節しておく。これら人体検知手段２２ａ、電磁波照射手段２０ａ及び調節手段２０ｂは、便座ボックス１２内に設置された制御回路５４（第４図）によって動作が制御される。
【００２５】
また、第４図に示す通り、この便座ボックス１２内には、この制御回路５４によって動作が制御される各機器が設置されている。各機器は、リモコン３０の各スイッチ３０ａ〜３０ｆ、３０ｓによって次のように作動するように構成されている。
【００２６】
シャワースイッチ３０ａを押すと、弁５０が開弁し、便座ボックス１２に設けられたシャワーノズル４６Ａが前進し、その先端から温水が噴出され、使用者臀部のシャワー洗浄（肛門洗浄）が行われる。ビデスイッチ３０ｂを押すと、弁５２が開弁し、同様に便座ボックス１２の本体部に設けられているビデノズル４６Ｂが作動され、その先端から温水が噴出されて人体臀部の温水洗浄（ビデ洗浄）が行われる。この洗浄に際しては、前記ホース及び止水栓に連なる便座ボックス内の配管４０からの水が、温水タンク４２内においてヒータ４４により加熱された後、配管４６又は４８を介してシャワーノズル４６Ａ又はビデノズル４６Ｂへ送られる。なお、洗浄強さ調節ダイヤル３０ｄを回すことにより、弁５０，５２の開度が制御され、洗浄強さ（温水噴出量）が調節される。
【００２７】
乾燥スイッチ３０ｃを押すと、便座ボックス１２内のブロワ５６及びエアヒータ５８よりなる温風ファンが作動され、人体臀部に温風が吹き付けられて乾燥が行われる。
【００２８】
ストップスイッチ３０ｓを押すと、これらシャワーノズル、ビデノズルまたは温風ファンの作動が停止される。フラッシュスイッチ３０ｅ（大用）又は３０ｆ（小用）を操作することにより、弁７４又は弁７４，７６が開弁し、洋風便器１０の便鉢内に水が供給され、汚物が排出される。これらの弁７４，７６は、前記ホース及び止水栓から水の供給を受ける配管７０，７２に設けられている。配管７０は便器のリムに給水し、配管７２は便器のトラップ部（ゼット孔部）に給水する。
【００２９】
大用のフラッシュスイッチ３０ｅを押したときには、まず弁７４が所定時間開弁し、リム給水により鉢面が洗浄され、次いで弁７６が所定時間開弁し、トラップ部にサイホンを発生させて汚物を排出し、この後弁７４が所定時間開弁し、リム給水により鉢に封水を貯める。この場合、合計で６Ｌ程度の水が供給される。小用のフラッシュスイッチ３０ｆを押したときにも、大用のフラッシュスイッチ３０ｅを押したときと同様に、まず弁７４が所定時間開弁し、リム給水により鉢面が洗浄され、次いで弁７６が所定時間開弁し、トラップ部にサイホンを発生させて汚物を排出し、この後弁７４が所定時間開弁し、リム給水により鉢に封水を貯める。但し、これら弁７４，７６の開弁時間（所定時間）を、フラッシュスイッチ３０ｅを押したときとフラッシュスイッチ３０ｆを押したときとで異ならせる。
【００３０】
なお、フラッシュスイッチ３０ｅ、３０ｆを押したときの弁７４，７６の動作は上記の場合に限定されるものではないことは当然である。例えば、小用のフラッシュスイッチ３０ｆを押したときには、弁７４のみが所要時間開弁し、２Ｌ程度の水で鉢面を洗浄すると共に、トラップ水を置換するようにしてもよい。
【００３１】
［人体非検知時］
次に、このように構成されたリモコンユニットの人体非検知時における動作を説明する。
【００３２】
トイレ室内に人が居ないときには、リモコン３０はスリープモードとなっている。このスリープモードにあっては、スイッチ類３０ａ〜３０ｆ、３０ｓ（スイッチ素子３７）が操作不能な状態（スイッチが押されても信号を送信しない状態）となっている。これにより、リモコン３０のエネルギー消費量の低減が図られる。
【００３３】
このスリープモードにおいて、便座ボックス１２の電磁波照射手段２０ａがリモコン３０に向けて電磁波を照射する。この電磁波をリモコン３０の太陽電池３３が受信して発電し、この電力をキャパシタ３８が蓄電する（蓄電工程）。
【００３４】
このキャパシタ３８の蓄電量が第１の設定値に達すると、リモコン３０の発信素子３４ａが充電完了信号を送信する。この充電完了信号を便座ボックス１２の人体検知手段（受信手段）２２ａが受信し、電磁波照射手段２０ａが電磁波の照射を停止する（蓄電停止工程）。これにより、キャパシタ３８の過充電が防止される。
【００３５】
電磁波照射手段２０ａによる電磁波の照射が停止してから長時間が経過すること等により、キャパシタ３８の蓄電量が第２の設定値を下回ると、リモコン３０の発信素子３４ａが充電不足信号を送信する。この充電不足信号を便座ボックス１２の人体検知手段２２ａが受信し、電磁波照射手段２０ａが電磁波の照射を開始する（蓄電開始工程）。これにより、上記蓄電工程に復帰する。このようにして、蓄電量が第２の設定値以上かつ第１の設定値以下に維持される。
【００３６】
［人体検知時］
次に、リモコンユニットの人体検知時における動作を説明する。
【００３７】
上記スリープモードにおいて使用者が洋風便器１０に近づくと、便座ボックス１２の人体検知手段２２ａが人体を検知し、電磁波照射手段２０ａがウェークアップ信号（変調信号）を送信した後、電磁波の照射を停止する。このウェークアップ信号は、蓄電時の電磁波とは異なる変調信号である。この変調信号の変調方式には特に限定はなく、ＡＭ変調、ＦＭ変調のようなアナログ変調の他、デジタル変調やパルス変調であってもよい。
【００３８】
このウェークアップ信号をリモコン３０の受信手段３２が受信し、リモコン３０がウェークアップモードとなる。このウェークアップモードにあっては、スイッチ３０ａ〜３０ｆ、３０ｓ（スイッチ素子３７）が操作可能な状態（スイッチが押されたときに信号を送信する状態）となっている。
【００３９】
このウェークアップモードにおいて、使用者がリモコン３０の各スイッチ３０ａ〜３０ｆ、３０ｓを操作することにより、便座ボックス１２の各機器が上記のように作動する。
【００４０】
使用者がトイレ室から退室し、便座ボックス１２の人体検知手段２２ａが人体を非検知となると、電磁波照射手段２０ａがスリープ信号（変調信号）を送信する。このスリープ信号は、蓄電時の電磁波及びウェークアップ信号とは異なる変調信号である。このスリープ信号をリモコン３０の受信手段３２が受信すると、リモコン３０が上記スリープモードに切り換わる。また、キャパシタ３８の充電量が上記第２の設定値を下回っている場合には、該電磁波照射手段２０ａがリモコン３０に向けて電磁波を照射し、上記蓄電工程を実行する。キャパシタ３８の充電量が該第２の設定値以上の場合には、電磁波照射手段２０ａは、上記スリープ信号を送信した後に電磁波の照射を停止する。その後、キャパシタ３８の蓄電量が第２の設定値を下回ると、上記蓄電開始工程及び蓄電工程を実行する。
【００４１】
本実施の形態に係るリモコンユニットによると、人体非検知時に、便座ボックス１２からリモコン３０に向けて強い電磁波エネルギーを照射することにより、リモコン３０のキャパシタ３８に良好に充電をすることができる。また、人体検知時には、電磁波照射手段２０ａによる電磁波の照射を停止するため、人体が電磁波照射手段２０ａからの電磁波を受けることが防止される。
【００４２】
本実施の形態に係るリモコンユニットによると、人体非検知時にスリープモードとなるため、エネルギー消費量の低減が図られる。また、人体検知時にリモコンがウェークアップモードになるため、リモコン操作を確実に行うことができる。
【００４３】
本実施の形態に係るリモコンユニットによると、リモコン３０のキャパシタ３８の充電が完了すると（充電量が第１の設定値以上になると）、便座ボックス１２の電磁波照射手段２０ａからの電磁波エネルギーの照射が停止するため、便座ボックス１２のエネルギー消費量の低減が図られると共に、キャパシタ３８の過充電が防止される。また、キャパシタ３８の充電が不足すると（充電量が第２の設定値未満になると）、電磁波照射手段２０ａが電磁波を照射してキャパシタ３８を充電するため、キャパシタ３８の充電が不足するこが防止される。
【００４４】
上記実施の形態は本発明の一例であり、本発明は上記実施の形態に限定されるものではない。
【００４５】
例えば、上記実施の形態では、人体検知手段２２ａによる人体検知時に電磁波照射手段２０ａによる電磁波の照射を停止しているが、照射する電磁波エネルギーを減少させてもよい。この場合、人体が強い電磁波を受けることが防止されると共に、キャパシタ３８への充電を継続することができる。なお、キャパシタ３８の充電量が少なくなる程電磁波エネルギーを大きくしてもよい。これにより、キャパシタ３８の充電不足によりリモコン操作が不能になることが良好に防止される。この人体検知時の電磁波として、可視光線を照射してもよい。これにより、リモコン３０のスイッチ類３０ａ〜３０ｆ、３０ｓが見易くなる。また、夜間等において、トイレルーム内の照明を点灯することなくリモコン操作することが可能となり、使用者が眩しい思いをすることが防止される。また、この人体検知時の電磁波として、紫外線や赤外線を照射してもよい。
【００４６】
また、上記実施の形態では、人体非検知時にリモコン３０をスリープモードにしているが、ウェークアップモードのままとしてもよい。但し、エネルギー消費量の低減のためにはスリープモードにするのが好ましい。
【００４７】
また、人体検知手段２２ａは機器本体（便座ボックス）１２に設けられているが、リモコン３０に設けてもよい。但し、人体検知手段２２ａをリモコン３０に設けると、リモコンの消費電力が大きくなるため、機器本体（便座ボックス）１２に設けるのが好ましい。但し、人体検知手段２２ａは、機器本体（便座ボックス）１２及びリモコン３０とは別の場所に設けてもよい。
【００４８】
リモコン３０の発信素子３４からの充電完了信号及び充電不足信号の送信を省略してもよいが、省略しない方が、キャパシタ３８の過充電及び充電不足の防止を図ることができるため好ましい。
【００４９】
上記実施の形態では、太陽電池３３とは別に受信手段３２を設けたが、太陽電池３３が受信手段３２を兼ねるようにしてもよい。リモコン３０からの信号の機器本体（便座ボックス１２）側の受信は、人体検知手段２２ａで兼ねず、別途受信手段を備えてもよい。
【００５０】
上記実施の形態では、人体検知手段２２ａが、リモコン３０の発信素子３４ａからの信号の受信手段を兼ねているが、人体検知手段２２ａとは別に受信手段を設けてもよい。人体検知手段２２ａは、赤外線センサに限定されるものではなく、例えば、電磁波式センサや焦電式センサ等であってもよい。また、電磁波照射手段２０ａがウェークアップ信号（変調信号）及びスリープ信号（変調信号）を送信しているが、電磁波照射手段２０ａとは別個に変調信号の送信手段を設け、この送信手段からこれら変調信号を送信してもよい。
【００５１】
スリープモードとウェークアップモードの内容は、上記実施の形態の場合に限定されない。例えば、特許文献１の図７のように、リモコンに液晶等の表示画面が設けられている場合には、スリープモード時に画面表示をＯＦＦとし、ウェークアップモード時に画面表示をＯＮとしてもよい。また、リモコンの各種スイッチが、静電容量センサや光センサ（発光受光）などの操作手段を備えた非接触スイッチである場合には、スリープモード時に操作手段をＯＦＦとし、ウェークアップモード時に操作手段をＯＮとしてもよい。
【００５２】
上記実施の形態では、便座ボックス１２とそのリモコンとからなるリモコンユニットを例示したが、これに限定されるものではない。例えば、キッチンの給湯器と手元操作の水栓のリモコンとからなるリモコンユニット、浴室の給湯器とそのリモコンとからなるリモコンユニット、エアコンとそのリモコンとからなるリモコンユニット、テレビとそのリモコンとからなるリモコンユニット等であってもよい。
【符号の説明】
【００５３】
１０  洋風便器
１２  便座ボックス
２０  電磁波照射部
２０ａ  電磁波照射手段
２２  人体検知手段配置部
２２ａ  人体検知手段
３０  リモコン
３２  受信手段
３３  太陽電池
３４  発信部
３４ａ  発信素子
３６  制御回路
３７  スイッチ素子
３８  キャパシタ
【図１】
2011188190.tif 000003
【図２】
2011188190.tif 000004
【図３】
2011188190.tif 000005
【図４】
2011188190.tif 000006